【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
ユーザモニタリングのシステムであって、
複数の中継アンテナと、
プロセッサと
を含み、
前記複数の中継アンテナは、一以上のユーザ装着センサからの及び他の中継アンテナからの信号を受信し、
各ユーザ装着センサは加速度計を含んでセンサデータを収集するように構成され、
前記プロセッサは、
特定のユーザ装着センサが収集したセンサデータを受信することと、
ベッドに対するユーザの角度配向を、前記ベッドの物理的配向と前記ユーザ装着センサが収集したセンサデータとに基づいて計算することと、
前記ベッドに対する前記ユーザの決定された角度配向に少なくとも基づいて離床条件を特定することと
を行うように構成され、
前記離床条件を特定することは、前記ユーザによる離床の発生又は予測される発生を特定することを含む、システム。
【請求項２】
前記特定のユーザ装着センサは、前記加速度計と、磁力計又は高度計の少なくとも一方とを含む、請求項１のシステム。
【請求項３】
前記特定のユーザ装着センサは、加速度計、磁力計及び高度計の少なくとも２つを含む、請求項１のシステム。
【請求項４】
前記プロセッサは、
前記ベッドのコンパス配向を決定することと、
前記ベッドに対する前記ユーザの角度配向を、前記ベッドの決定されたコンパス配向と、前記特定のユーザ装着センサが収集したセンサデータとに基づいて計算することと
を行うように構成される、請求項１のシステム。
【請求項５】
前記離床条件を特定することは、前記ユーザによる予測される差し迫った離床を決定することを含む、請求項１のシステム。
【請求項６】
前記離床条件を特定することは、前記ユーザによる離床の確率を決定することを含む、請求項１のシステム。
【請求項７】
前記特定のユーザ装着センサは、前記ユーザに直接付着され、又は前記ユーザが装着する物品に固定され若しくは埋め込まれる、請求項１のシステム。
【請求項８】
ユーザの離床を検出又は予測するシステムであって、
前記ユーザに固定されて前記ユーザに関するセンサデータを収集するように構成されたユーザ装着センサデバイスと、
プロセッサと
を含み、
前記センサデータは、前記ユーザ装着センサデバイスの加速度計が収集した少なくとも加速度データを含み、
前記プロセッサは、
前記ユーザ装着センサデバイスが収集したセンサデータを受信することと、
ベッドの物理的配向を決定し又は当該物理的配向にアクセスすることと、
前記ベッドに対する前記ユーザの角度配向を、前記ベッドの物理的配向と、前記ユーザ装着センサデバイスが収集したセンサデータとに基づいて計算することと、
前記ベッドに対する前記ユーザの決定された角度配向に少なくとも基づいて離床条件を特定することと
を行うように構成され、
前記離床条件を特定することは、前記ユーザによる離床の発生又は予測される発生を特定することを含む、システム。
【請求項９】
前記プロセッサは前記ユーザ装着センサデバイスに設けられる、請求項８のシステム。
【請求項１０】
前記プロセッサは、前記ユーザ装着センサデバイスとは別個であり、
前記プロセッサは、前記ユーザ装着センサデバイスが収集したセンサデータを、前記ユーザ装着センサデバイスからの無線送信を介して受信するように構成される、請求項８のシステム。
【請求項１１】
前記プロセッサは、前記ベッドに固定された加速度計、磁力計又は他のセンサを使用して前記ベッドの角度配向を決定するように構成される、請求項８のシステム。
【請求項１２】
前記プロセッサは、
前記ユーザ装着センサデバイスが収集したセンサデータに基づいて経時的に前記ユーザの配向をモニタリングすることと、
前記ユーザの経時的にモニタリングされた配向に基づいて前記ベッドの物理的配向を決定することと
を行うように構成される、請求項８のシステム。
【請求項１３】
前記プロセッサは、前記ベッドのコンパス配向を決定するように構成され、
前記プロセッサは、前記ベッドに対する前記ユーザの角度配向を、前記ベッドの決定されたコンパス配向と、前記ユーザ装着センサデバイスが収集したセンサデータと、に基づいて計算するように構成される、請求項８のシステム。
【請求項１４】
前記プロセッサは、前記ユーザによる予測される差し迫った離床を決定することによって、前記離床条件を特定するように構成される、請求項８のシステム。
【請求項１５】
前記プロセッサは、前記ユーザによる離床の確率を決定することによって、前記離床条件を特定するように構成される、請求項８のシステム。
【請求項１６】
前記ユーザ装着センサデバイスは、前記ユーザに直接付着され、又は前記ユーザが装着する物品に固定され若しくは埋め込まれる、請求項８のシステム。
【請求項１７】
前記ユーザ装着センサデバイスの加速度計が収集した加速度データは、静止加速度データ又は動的加速度データの少なくとも一方を含む、請求項１１のシステム。
【請求項１８】
ユーザの転倒条件を特定するシステムであって、
前記ユーザに固定されたユーザ装着センサデバイスの高度計と、
中継アンテナ分析システムと、
ユーザ高度分析システムと
を含み、
前記中継アンテナ分析システムは、
一以上の中継アンテナの高度を決定することと、
前記一以上の中継アンテナの決定された高度に基づいて基準高度を決定することと
を行うように構成され、
前記ユーザ高度分析システムは、
前記ユーザ装着センサデバイスの高度計が収集したユーザ高度データであって、前記ユーザの高度の変化を示すユーザ高度データを受信することと、
（ａ）受信したユーザ高度データと、（ｂ）前記一以上の中継アンテナの決定された高度に基づいて決定された基準高度と、に基づいて前記ユーザの相対的な高度を決定することと、
決定された前記ユーザの相対的な高度に基づいて前記ユーザの転倒条件を特定することと
を行うように構成される、システム。
【請求項１９】
前記ユーザ高度分析システムは、前記ユーザの転倒条件を、ユーザ転倒の確率を決定することによって特定するように構成される、請求項１８のシステム。
【請求項２０】
前記ユーザ装着センサデバイスは、前記ユーザに直接付着され、又は前記ユーザが装着する物品に固定され若しくは埋め込まれる、請求項１８のシステム。
【請求項２１】
前記中継アンテナ分析システムは、フロアに対する各中継アンテナの高度を決定するように構成される、請求項１８のシステム。
【請求項２２】
前記ユーザ高度分析システムは前記ユーザ装着センサデバイスに設けられる、請求項１８のシステム。
【請求項２３】
前記ユーザ装着センサデバイスは、前記ユーザに関するユーザ高度データを無線送信するように構成され、
前記ユーザ高度分析システムは、前記ユーザ装着センサデバイスとは別個のプロセッサを含み、
前記ユーザ高度分析システムは、前記中継アンテナの少なくとも一つを介して無線により前記ユーザ装着センサデバイスからの前記ユーザ高度データを受信するように構成される、請求項１８のシステム。
【請求項２４】
前記ユーザ高度分析システムは、
前記ユーザ高度データにより示された前記ユーザの高度と、前記一以上の中継アンテナの決定された高度に基づいて決定された相対的高度とを比較することにより、前記ユーザの相対的高度を決定することと、
前記ユーザの決定された相対的高度に基づいてユーザ転倒条件を特定することと
によって、前記ユーザの相対的高度を決定し、前記ユーザの決定された相対的高度に基づいてユーザ転倒条件を特定するように構成される、請求項１８のシステム。
【請求項２５】
前記ユーザ装着センサデバイスはさらに、前記ユーザの加速度を示すユーザ加速度データを収集するように構成された少なくとも一つの加速度計を含み、
前記ユーザ高度分析システムは、
前記少なくとも一つの加速度計が収集したユーザ加速度データを受信することと、
（ａ）受信したユーザ高度データと前記一以上の中継アンテナの高度に基づく基準高度とに基づいて決定されるとおりの、前記ユーザの決定された相対的高度と、（ｂ）受信したユーザ加速度データと、に少なくとも基づいてユーザ転倒条件を特定することと
を行うように構成される、請求項１８のシステム。
【請求項２６】
前記ユーザ高度分析システムは、
前記ユーザの相対的高度と少なくとも一つの所定高度しきい値とを比較することと、
前記ユーザの加速度データと少なくとも一つの所定加速度しきい値とを比較することと、
（ａ）前記ユーザの相対的高度と前記少なくとも一つの所定高度しきい値との比較と、（ｂ）前記ユーザの加速度データと前記少なくとも一つの所定加速度しきい値との比較と、に少なくとも基づいて前記ユーザの転倒条件を特定することと
によって、前記ユーザの転倒条件を特定するように構成される、請求項２５のシステム。
【請求項２７】
前記ユーザ高度分析システムは、フロアに対する前記ユーザの高度を決定するように構成される、請求項１８のシステム。
【請求項２８】
ユーザに装着されたユーザ装着センサデバイスを使用してユーザの転倒条件を特定するシステムであって、
前記ユーザ装着センサデバイスの、ユーザ高度データを収集するように構成された高度計と、
前記ユーザ装着センサデバイスの、ユーザ加速度データを収集するように構成された加速度計と、
プロセッサと
を含み、
前記プロセッサは、
（ａ）収集されたユーザ高度データと（ｂ）基準高度とに基づいて前記ユーザの相対的高度を決定することと、
（ａ）前記収集されたユーザ高度データと前記基準高度とに基づいて決定されるとおりの、前記ユーザの決定された相対的高度と、（ｂ）収集されたユーザ加速度データと、に少なくとも基づいて前記転倒条件を特定することと
を行うように構成される、システム。
【請求項２９】
前記プロセッサは、
前記ユーザに固定されていない少なくとも一つの基準高度計から基準高度データを受信することと、
前記ユーザに固定されていない前記少なくとも一つの基準高度計から受信した基準高度データに基づいて前記基準高度を決定することと
を行うように構成される、請求項２８のシステム。
【請求項３０】
前記ユーザに固定されていない基準高度計はそれぞれ、前記ユーザ装着センサデバイスと無線通信するように構成された各中継アンテナに設けられる、請求項２９のシステム。
【請求項３１】
前記プロセッサは、
前記ユーザの相対的高度と少なくとも一つの所定高度しきい値とを比較することと、
前記ユーザの加速度データと少なくとも一つの所定加速度しきい値とを比較することと、
（ａ）前記ユーザの相対的高度と前記少なくとも一つの所定高度しきい値との比較と、（ｂ）前記ユーザの加速度データと前記少なくとも一つの所定加速度しきい値との比較と、に少なくとも基づいて前記ユーザの転倒条件を特定することと
によって、前記ユーザの転倒条件を特定するように構成される、請求項２８のシステム。
【請求項３２】
ユーザの離床を検出又は予測するシステムであって、
プロセッサを含み、
前記プロセッサは、
ユーザ装着センサデバイスの磁力計からの信号を受信することと、
収集された前記磁力計からの信号に基づいて前記ユーザの磁気的配向を決定することであって、
前記プロセッサがベッドの配向を決定し又は当該配向にアクセスすることと、
前記プロセッサが、収集された前記磁力計からの信号に基づいて前記ベッドに対する前記ユーザの磁気的配向を計算することと
を含むプロセスによって前記ユーザの磁気的配向を決定することと、
前記ユーザ装着センサデバイスの加速度計からユーザ加速度を受信することと、
前記ユーザの決定された磁気的配向と受信した前記ユーザの加速度データとに少なくとも基づいて離床条件を特定することと
を行うように構成され、
前記離床条件を特定することは、前記ユーザによる離床の発生又は予測される発生を特定することを含む、システム。
【請求項３３】
前記プロセッサは、
前記ユーザの決定された磁気的配向と少なくとも一つの所定ユーザ配向しきい値とを比較することと、
前記ユーザの加速度データと少なくとも一つの所定加速度しきい値とを比較することと、
（ａ）前記ユーザの磁気的配向と前記少なくとも一つの所定ユーザ配向しきい値との比較と、（ｂ）前記ユーザの加速度データと前記少なくとも一つの所定加速度しきい値との比較と、に少なくとも基づいて前記離床条件を特定することと
によって、前記離床条件を特定するように構成される、請求項３２のシステム。
【請求項３４】
前記プロセッサは、前記ユーザによる予測される差し迫った離床を決定することによって、前記離床条件を特定するように構成される、請求項３２のシステム。
【請求項３５】
前記プロセッサは、前記ユーザによる離床の確率を決定することによって、前記離床条件を特定するように構成される、請求項３２のシステム。
【請求項３６】
前記プロセッサは、前記ベッドに固定された加速度計、磁力計又は他のセンサを使用してベッドの配向を決定するように構成される、請求項３２のシステム。
【請求項３７】
前記プロセッサは、
前記ユーザ装着センサデバイスが収集したセンサデータに基づいて経時的に前記ユーザの配向をモニタリングすることと、
前記ユーザの経時的にモニタリングされた配向に基づいて前記ベッドの配向を決定することと
によって、前記ベッドの配向を決定するように構成される、請求項３２のシステム。
【請求項３８】
前記ユーザ装着センサデバイスが収集したセンサデータは、（ａ）前記ユーザ装着センサデバイスの磁力計からの信号と、（ｂ）前記ユーザ装着センサデバイスの加速度計からのユーザ加速度データと、の少なくとも一方を含む、請求項３２のシステム。
【請求項３９】
前記プロセッサは、前記ベッドのコンパス配向を決定するように構成され、
前記ベッドに対する前記ユーザの磁気的配向は、前記ベッドの決定されたコンパス配向と、前記ユーザ装着センサデバイスが収集したセンサデータと、に基づいて計算される、請求項３２のシステム。
【請求項４０】
ユーザの離床を検出又は予測するシステムであって、
プロセッサと、
非一時的コンピュータ可読媒体に格納されたコンピュータ命令と
を含み、
前記コンピュータ命令は、
ベッドの物理的配向を示すデータを決定し又は当該データにアクセスすることと、
前記ユーザに関するセンサデータを、ユーザ装着センサデバイスに設けられた一以上のセンサから受信することであって、前記センサデータは、前記ユーザ装着センサデバイスの加速度計が収集した少なくとも加速度データを含むことと、
前記ベッドの決定された物理的配向と前記ユーザ装着センサデバイスが収集したセンサデータとに基づいて前記ベッドに対する前記ユーザの角度配向を計算することと、
前記ベッドに対する前記ユーザの決定された角度配向に少なくとも基づいて離床条件を特定することと
を行うように前記プロセッサにより実行可能に構成され、
前記離床条件を特定することは、前記ユーザによる離床の発生又は予測される発生を特定することを含む、システム。
【請求項４１】
前記システムは前記ユーザ装着センサデバイスを含み、
前記プロセッサ及び非一時的コンピュータ可読媒体が前記ユーザ装着センサデバイスに設けられる、請求項４０のシステム。
【請求項４２】
前記システムは前記ユーザ装着センサデバイス、及び別個のコンピューティングデバイスを含み、
前記プロセッサ及び非一時的コンピュータ可読媒体が前記別個のコンピューティングデバイスに設けられる、請求項４０のシステム。
【請求項４３】
前記プロセッサ及び非一時的コンピュータ可読媒体が、前記ユーザ装着センサデバイスとは別個のコンピューティングデバイスに設けられる、請求項４０のシステム。